(57)【特許請求の範囲】
【請求項１】
開口部を備え、内部に機器を内蔵設置する第１のハウジングと、前記開口部正面方向からネジで固定し第１のハウジングの少なくとも一部を閉塞する第２のハウジングと、前記第２のハウジングに外面から取り付け、前記ネジを覆う化粧パネルを備えた箱体であって、
前記第１と第２のハウジングには、相互に仮止めを行うよう立て爪と立て爪受容部のいずれかをそれぞれ備え、
前記第２のハウジングには、前記ネジが前記第２のハウジング表面に突出しないよう座刳りが形成されるとともに、座刳り裏面には所定の角度の稜線を備えた略円錐台状の凸状突起を有し、
前記第１のハウジングには、前記第２のハウジングの前記略円錐台状の凸状突起と略一致する形状で受容する凹部を備え、
前記仮止めの時点において前記凸部と前記凹部の間に所定の間隔が設けられており、
前記ネジの締結により生じる応力により、少なくともひとつの前記仮止めの立て爪受容部が設置位置より外側に浮き上がることで、化粧パネル貼付後においてもネジ締結の有無が判定可能とされた箱体の閉塞方法。
【請求項２】
開口部を備え、内部に機器を内蔵設置する第１のハウジングと、前記開口部正面方向からネジで固定し第１のハウジングの少なくとも一部を閉塞する第２のハウジングと、前記第２のハウジングに外面から取り付け、前記ネジを覆う化粧パネルを備える箱体であって、
前記第１と第２のハウジングには、相互に仮止めを行うよう立て爪と立て爪受容部のいずれかをそれぞれ備え、
前記第２のハウジングには、前記ネジが前記第２のハウジング表面に突出しないよう座刳りが形成されるとともに、座刳り裏面には略円錐台状の凸状突起を有し、
前記第１のハウジングには、前記第２のハウジングの前記略円錐台状の凸状突起と略一致する形状で受容する凹部を備え、
前記仮止めの時点において前記凸部と前記凹部の間に所定の間隔が設けられていることを特長とする箱体。
【請求項３】
前記所定の間隔が、略０．３ｍｍであることを特徴とする請求項２に記載の箱体。
【発明の詳細な説明】
【技術分野】
【０００１】
本発明は、箱体、特に電子機器を納める樹脂製ハウジングの閉塞構造に関するものである。
【背景技術】
【０００２】
電子機器の格納を行う樹脂製箱体の閉塞構造には、立て爪とフックを用いた構造が多く採用されている。
【０００３】
しかしフック構造による固定構造は、例えば車載機器など振動の大きい環境では、振動によりフックが外れるなどの不具合が発生するため推奨されない。
【０００４】
この問題に対して、箱体の開口を、別体の蓋により閉塞し、ネジ止めにより固定する構成を、次の特許公報が開示している。
【特許文献１】特開平０５−０１８４０７号公報
【０００５】
特許文献１によれば、箱体内部に機器を挿入、設置した後蓋を嵌め、ネジにより固定を行うことで蓋体を強固に固定することが可能となり、例えば車載機器への適用に適する構成とすることができる。
【０００６】
ところがこの方法によれば、機器の設置、蓋の設置の後、箱体を回転させネジ止め部を作業者側に向けてネジ止めを行う作業が繰り返し発生し、工数増を招く。
【０００７】
また、作業中の回転を行わないよう製品正面からネジ止めを行う構成とすると、ネジが正面から観視されることで商品性を損なうものとなる。
【０００８】
製品正面からのネジ止めに付いては、ネジを隠蔽できる化粧パネルを貼付することでこの問題は回避できる、この手法は液晶表示パネルを供えた電子機器の製造において多く採用される構成である。
【０００９】
この場合、液晶表示部は透過とし、液晶表示部以外は非透過とされた化粧パネルが採用される。
【発明の開示】
【発明が解決しようとする課題】
【００１０】
ところで、ネジ締めを行った後に化粧パネルを貼り付けると言う工程は、ともすると工程管理の不備からネジ締め前の半製品に対して化粧パネルを貼付するという不良製品の生産を行ってしまうことがある。また、ネジの締め込みが不十分である製品の生産を行ってしまうこともある。
【００１１】
この場合、出荷当初はフック構造が機能することで一見正常品であるかのような半製品の流出を許し、市場においてパネルが外れる等の不良、故障の発生を招く。市場で発生した不良品に対する対処は工程内の不良品への対処と比べ比較にならないほど多額の対策費を要するものとなる。
【００１２】
本発明により、化粧パネルの貼付後においても、ネジ止の確実な実施を可視化し不良品の流出を防ぐことのでき、不良品の検出の容易化から不良品流出の頻度を低減し、もって製品価格の低減に貢献するものである。
【課題を解決するための手段】
【００１３】
本発明は、化粧パネルの貼付後においても、ネジ止めの確実な実施を可視化し、不良品の流出を防ぐことのできる箱体構造を提案するものである。
【００１４】
本発明の第一の視点によれば、開口部を備え、内部に機器を内蔵設置する第１のハウジングと、前記開口部正面方向からネジで固定し第１のハウジングの少なくとも一部を閉塞する第２のハウジングと、前記第２のハウジングに外面から取り付け、前記ネジを覆う化粧パネルを備えた箱体であって、前記第１と第２のハウジングには、相互に仮止めを行うよう立て爪と立て爪受容部のいずれかをそれぞれ備え、前記第２のハウジングには、前記ネジが前記第２のハウジング表面に突出しないよう座刳りが形成されるとともに、座刳り裏面には所定の角度の稜線を備えた略円錐台状の凸状突起を有し、前記第１のハウジングには、前記第２のハウジングの前記略円錐台状の凸状突起と略一致する形状で受容する凹部を備え、前記仮止めの時点において前記凸部と前記凹部の間に所定の間隔が設けられており、前記ネジの締結により前記間隔を０とすることで生じる応力により、少なくともひとつの前記仮止めの立て爪受容部が設置位置より外側に浮き上がることで、化粧パネル貼付後においてもネジ締結の有無が判定可能とされた箱体の閉塞方法が提供される
【００１５】
本発明の第二の視点によれば、開口部を備え、内部に機器を内蔵設置する第１のハウジングと、前記開口部正面方向からネジで固定し第１のハウジングの少なくとも一部を閉塞する第２のハウジングと、前記第２のハウジングに外面から取り付け、前記ネジを覆う化粧パネルを備える箱体であって、前記第１と第２のハウジングには、相互に仮止めを行うよう立て爪と立て爪受容部のいずれかをそれぞれ備え、前記第２のハウジングには、前記ネジが前記第２のハウジング表面に突出しないよう座刳りが形成されるとともに、座刳り裏面には略円錐台状の凸状突起を有し、前記第１のハウジングには、前記第２のハウジングの前記略円錐台状の凸状突起と略一致する形状で受容する凹部を備え、前記仮止めの時点において前記凸部と前記凹部の間に所定の間隔が設けられていることを特長とする箱体が提供される
【００１６】
本発明の第三の視点によれば、前記所定の間隔が、略０．３ｍｍであることを特徴とする箱体が提供される。
【発明の効果】
【００１７】
本発明により、化粧パネルの貼付後においても、ネジ止の確実な実施を可視化し不良品の流出を防ぐことのでき、不良品の検出の容易化から不良品流出の頻度を低減し、もって製品価格の低減に貢献するものである。
【発明を実施するための最良の形態】
【００１８】
本願発明の構成は、次のようになっている。
【００１９】
本発明の一実施形態に係る電子機器用箱体は、互いに立て爪とフックにて嵌合を行うハウジング１とハウジング２とを有する。このうちハウジング１には立て爪が、ハウジング２にはフックが互いに対応する位置、形状で備えられている。
【００２０】
所定の電子機器、例えばバックライトユニットとＬＣＤ、およびＬＣＤ制御装置を格納したハウジング１に対して蓋状にハウジング２を嵌合する。この際、ハウジング１に設けた立て爪とハウジング２に設けたフックにより、ハウジング１および２は仮止めされる。
【００２１】
本実施例において、ハウジング１とハウジング２が嵌合合体した際の大きさは概ね１８０ｍｍ×６０ｍｍ×６０ｍｍ程度の大きさであり、概ね１８０ｍｍ×６０ｍｍの面の一方に液晶表示素子が表示可能に取り付けられるものとなっている。
【００２２】
ハウジング１および２を締結するネジは、化粧パネルが液晶表示素子が観察され、また化粧パネルの取り付けられる面の、短手方向、前記の略６０ｍｍ方向の中心に位置している。
【００２３】
本実施例の場合、図４のように、フック１１およびフック１２に対し、それぞれ対応した立て爪がかかることにより仮止めされる。
【００２４】
ハウジングの肉厚は主要部において１．５ｍｍ、立て爪の高さは１．４ｍｍとして形成されている。
【００２５】
ハウジング２のネジ固定部には、締結後にネジが表面に突出しないよう座刳りが設けられており、座刳りの裏面は略円錐台状の凸部が形成されている。
【００２６】
ハウジング１には、前記ハウジング２に設けられた略円錐台状の凸部を受容する凹形状を備えている。
【００２７】
前記凸部及び凹部の稜線の角度は、ネジの軸を０°としたとき３０°程度の角度を成すよう形成され、凸部と凹部で角度が一致するよう形成されている。
【００２８】
この角度は、あまり大きいと後に記載する原理の仮説には当てはまらなくなるため、４５°程度までが有効な範囲であると思われる。
【００２９】
ここで、前記凸形状と前記凹形状は、ハウジング１および２が立て爪とフックにより仮止めされた際に、前記稜線を備えた側面同士が接触することで、ハウジング１とハウジング２の接近が所定の寸法までに規制される。
【００３０】
ハウジング１とハウジング２の接近が規制されることより、前記凸部上部および前記凹部底部の間に所定寸法の隙間が生ずることになる。
【００３１】
次に、ハウジング２に設けられたネジ締結用の座刳り部分を介し、ハウジング２をハウジング１にネジによる締結を行う。
【００３２】
仮止め時には、前記凸部上部および前記凹部底部の間には所定の寸法、例えば０．３ｍｍの隙間が存在するが、ネジの締結はこの隙間が０になるまで実施される。
【００３３】
すると、ネジによる締結の結果、ハウジング２の座刳り下面の略円錐台形状の凸部、およびハウジング１に設けられた略円錐台形状受容部の凹部を介して、ハウジング２に対し、ネジを中心とする引っ張り応力が発生する。
【００３４】
引っ張り応力によりハウジング２は、ハウジング１の角部１３を支点とした梃子の原理でハウジング２のフックを備えた先端部分をハウジング１から持ち上げる効果を生ずるものと本願発明者は仮説を立てた。
【００３５】
この効果が最も大きく現れるのはハウジング１の角部１０から遠い位置、図１におけるフック１１部である。一方、この現象が大きく現れない図１におけるフック１２部においては、ハウジング２が持ち上がる効果は確認されなかった。
【００３６】
座刳り直下凸部と凹部の仮止め時隙間寸法を０．３ｍｍとしたとき、この現象によるハウジング２端部のフック１１の持ち上がり寸法は立て爪の高さを越えることが無く、仮止めの機能が損なわれることはなかった。
【００３７】
工程精度を考慮すると、本隙間寸法は０．３ｍｍ±１０％程度の範囲が有効であると考えられる。また、前記凸部及び凹部の稜線角度は、角度が大きすぎたり小さすぎたりすると効果的にハウジング２の引っ張りを行うことができないため３０°〜４５°程度の角度が適当であると思われる。
【００３８】
上記実施形態においては、説明を簡易に行うため使用するネジを丸ネジと想定した説明を行っているが、適正な座刳り形状、および前記の略円錐台形状の凸部および凹部が形成されるのであれば、丸ネジ以外の平ネジ、角ネジなど、または前記ハウジング１の凹部底面内側にナットを備えたり、ハウジング１の凹部底面にナットをインサート成型などしてボルトによる締結を行う構成とする場合においても本願発明の効果は有効である事は当業者にとって明らかであろう。
【００３９】
上記実施例においては、フック１１はハウジング１の角部１０に対して概ね６０ｍｍ程度の距離を備えたものであったが、箱体の大きさがさらに大きい場合、持ち上がり量が増大することが考えられる。
【００４０】
そのため、角部とフックの距離に応じてハウジング１に設ける立て爪の高さを設定することが肝要である。
【００４１】
他の条件が同じであれば持ち上がり高さは角部とフックの距離に比例関係にあると思われるので、例えば１００ｍｍ程度の距離の場合、立て爪は本実施例の１．６〜１．７倍の大きさとすることで仮止め機能を損なわない構成とすることができると考えられる。
【００４２】
本願発明のハウジングは、バックライトを備えた液晶表示装置の収納に用いられることを想定するものであるが、これに限定されるものではなく、各種電子機器等を格納する容器に適用可能である事は当業者にとって容易に理解されるであろう。
【図面の簡単な説明】
【００４３】
【図１】本願発明品の一実施形態の分解図である。
【図２】ネジ締結前の隙間の様子を示す模式図である。
【図３】ネジ締結後の隙間の様子を示す模式図である。
【図４】ネジ締結前のハウジング変形模式図である。
【図５】ネジ締結後のハウジング変形模式図である。
【符号の説明】
【００４４】
１    ハウジング１
２    ハウジング２
１０  箱体
１１  フック１
１２  フック２
１３  ハウジング１角部
【図１】
0004855375.tif 000002
【図２】
0004855375.tif 000003
【図３】
0004855375.tif 000004
【図４】
0004855375.tif 000005
【図５】
0004855375.tif 000006